Podtech/llm-jp-corpus-v4-ja_patent huggingface dataset:
(57)【要約】【課題】調味液による鱈子（塩漬けしたスケトウダラの卵巣）の低温熟成を自家で味の好みに応じて行うことができる自家熟成用鱈子食材を提供する。【解決手段】密封包装した鱈子と、密封包装した、昆布、鰹節、煮干、帆立貝柱、焼きあごなどを配合したベース調味液と、密封包装した、唐辛子粉などの辛味料（辛子）、酒、昆布、鰹節、煮干、帆立貝柱、焼きあごなどを配合した辛子（辛味）調味液とからなり、ベース調味液と辛子調味液を適宜の割合で混合した混合調味液に鱈子を漬けた状態で、冷蔵庫に入れて、数十時間又はそれ以上の時間低温で熟成することにより、明太子を製造する。【選択図】        なし【特許請求の範囲】
【請求項１】
各別に密封包装した鱈子、辛味料を含まないベース調味液及び辛味料を含む辛子調味液からなる、自家熟成用鱈子食材。
【発明の詳細な説明】
【０００１】
【発明の属する技術分野】
この発明は、自家で鱈子（塩漬けしたスケトウダラの卵巣）を調味液に漬込んで（熟成させて）明太子を製造する自家熟成用鱈子食材（明太子の自家製造用食材）に関するものである。
【０００２】
【従来の技術】
明太子としては、塩蔵の鱈子を、唐辛子の粉末などの辛味料（辛子）を含む辛子（辛味）調味液に漬込んで熟成した辛子明太子が知られている（例えば、特許文献１参照）。
【０００３】
【特許文献１】特開平１１−１３９号公報
【０００４】
【発明が解決しようとする課題】
しかし市販の辛子明太子の大部分は、熟成が標準化されているため、好みにぴったり合う味のものを見出すのに苦労する場合が度々あるとともに、熟成が完了した時点から消費者が食するまでには相当の時間が経過しているため、風味の劣化の問題がある。
【０００５】
この発明は、上記のような状況に鑑み、調味液による鱈子の熟成を、自家で味の好みに応じて行うことができる自家熟成用鱈子食材を提供することを課題としている。
【０００６】
【課題を解決するための手段】
この発明に係る自家熟成用鱈子食材は、請求項１に記載したように、各別に密封包装した鱈子、辛味料を含まないベース調味液及び辛味料を含む辛子調味液からなる。
【０００７】
鱈子としては、スケトウダラの卵巣を慣用の方式で塩漬けしたいわゆる生食用のものを用いることができ、密封包装は通常は真空包装の方式で行う。
【０００８】
辛味料を含まないベース調味液としては、一般には、酒（日本酒、洋酒など）、昆布、鰹節、煮干、帆立貝柱、焼きあご（飛魚）、柚などの特に天然の調味用素材類を適宜に選択して配合したものを用いることができ、また辛味料を含む辛子調味液としては、辛味料としての唐辛子の粉末などに、ベース調味液にも使用する酒、昆布、鰹節、煮干、帆立貝柱、焼きあご、柚などの特に天然の調味用素材を適宜に選択して配合したものを用いることができる。
【０００９】
この発明の鱈子食材は、一般には、適当な密閉蓋付きの熟成容器内に、開封した鱈子とベース調味液及び辛子調味液を入れ、鱈子が混合調味液に漬かる状態で密閉し、この状態で、自家の冷蔵庫内に入れて、例えば数十時間又はそれ以上の時間低温熟成するという形で、明太子の自家製造に供するもので、特にベース調味液と辛子調味液の混合割合や低温熟成時間を適当に選択することによって、製造する明太子の味を好みに合わせる。
【００１０】
【実施例】
塩分含有量が約５％の生食用の鱈子３００ｇと、ベース調味液１００ｇ及び唐辛子粉を辛味料として含む辛子調味液１００ｇを１組の自家熟成用鱈子食材として、Ａ、Ｂ、Ｃ、Ｄ、Ｅ、Ｆ、Ｇの７組用意し、各別の密封蓋付きの熟成容器内に、各組の鱈子３００ｇと、ベース調味液及び辛子調味液を、Ａ組については１００ｇ及び２５ｇ、Ｂ組については１００ｇ及び５０ｇ、Ｃ組については１００ｇ及び７５ｇ、Ｄ組については１００ｇ及び１００ｇ、Ｅ組については７５ｇ及び１００ｇ、Ｆ組については５０ｇ及び１００ｇ、Ｇ組については２５ｇ及び１００ｇ入れて密閉し、この状態で冷蔵庫に、Ａ組、Ｂ組については５０時間、Ｃ組、Ｄ組、Ｅ組については６０時間、Ｆ組、Ｇ組については７０時間入れて、約５℃前後の低温で熟成し、７種類の明太子を製造した。
【００１１】
これらの７種類の明太子を、液切りをした後、甘口（甘味好み）から辛口（辛味好み）までの１０人で試食したところ、Ａ組製、Ｂ組製は甘口の人に好まれ、Ｃ組製、Ｄ組製、Ｅ組製は甘辛の中間の味好みの人に好まれ、Ｆ組製、Ｇ組製は辛口の人に好まれた。
【００１２】
なお明太子の液切りの際生じた調味液、すなわち鱈子熟成後の調味液は、辛味とともに鱈子の旨味が溶出しているため、調味液として利用することができることが判明した。
【００１３】
【発明の効果】
以上説明したように、この発明に係る自家熟成用鱈子食材によれば、好みに合った味の明太子を手軽に自家製造して、食することができる。
【００１４】
またこの鱈子食材によれば、出来立ての新鮮な明太子を食することができる。
(57)【要約】【課題】低照度の光源で効果的な灰皿内の照明を実現する。【解決手段】灰皿本体１に対し揺動して開閉する蓋体１０を設けた灰皿において、中空に構成した蓋体の本体側の底板１１を半透明の素材により構成すると共に上記底板の内側をテーパ状のローレット加工面１１Ａとし、上記ローレット加工面を照射するように蓋体内に光源１４を配する。【選択図】      図２
2005013092.tif 000002
【特許請求の範囲】
【請求項１】
灰皿本体に対し揺動して開閉する蓋体を設けた灰皿において、中空に構成した蓋体の本体側の底板を半透明の素材により構成すると共に上記底板の内側をテーパ状のローレット加工面とし、上記ローレット加工面を照射するように蓋体内に光源を配したことを特徴とする車載用携帯灰皿。
【請求項２】
光源はＬＥＤである請求項１記載の車載用携帯灰皿。
【請求項３】
光源は蓋体の開放に連動して点灯する請求項１又は２記載のの車載用携帯灰皿。
【発明の詳細な説明】
【０００１】
【発明の属する技術分野】
この発明は自動車内で使用するための携帯用灰皿に関する。
【０００２】
【従来の技術】
車室内に備え付けの灰皿とは別に、自動車内に持ち込んで使用するための携帯用灰皿が普及している。この種の灰皿は設置場所が固定されている備え付けの灰皿と異なり、自由な場所に置けることと、容量を大きくできることから、特に備え付けの灰皿を汚すことを嫌う需要者に好まれており、本体容器とこれに被蓋される蓋体からなる基本構成を有する。
【０００３】
ところで、通常の居室で使用する場合と異なり、自動車においてはバス等を除いては夜間は車内が暗くなるのでそのままでは灰皿は使用しづらい。一方、従来の備え付けの灰皿には自動車のライトと連動して点灯する照明が付されているので、前記の携帯用灰皿に照明を導入することは当業者の容易に着想するところであり、事実、照明を備えた携帯用灰皿が存在する。
【０００４】
この場合、備え付けの灰皿においては灰皿の本体容器内に光源からの光を照射する照明方法が一般的であり（公知例としては、実開平６−６８９７１、特開２００３−１５９９７４等）、携帯用灰皿もこれを踏襲していた。
【０００５】
【発明が解決しようとする課題】
しかしながら、容量が大きいことを特徴とする携帯用灰皿においては、スポット的な光源では容器内を十分照射できず、汚れを目立たなくするために内部を黒色としているので反射効果が期待できないことも相まって十分な照明効果を得られなかった。この場合、自動車の電源を使用する備えつけの灰皿と異なり、携帯用の灰皿は電源が限られているので照度を高くすることもできず、又、照度を高くすると運転に際し眩しさを与えて目障りになるという問題も生じた。
【０００６】
【課題を解決するための手段】
この発明は以上の従来技術の問題点に鑑みて創作されたものであり、灰皿本体に対し揺動して開閉する蓋体を設けた灰皿において、中空に構成した蓋体の本体側の底板を半透明の素材により構成すると共に上記底板の内側をテーパ状のローレット加工面とし、上記ローレット加工面を照射するように蓋体内に光源を配したことを特徴とする。
【０００７】
【発明の実施の形態】
以下、この発明の具体的実施例を添付図面に基づいて説明する。図１はこの発明の灰皿の全体を示す図である。この灰皿は容器状の灰皿本体１と、これを被蓋する蓋体１０からなり、光源は蓋体内に配される。蓋体１０はヒンジ８により灰皿本体１に対して揺動自在に設けられるものであり、図示しないバネにより開放方向に附勢される。図中符号６はこの場合に蓋体１０を閉止状態で係止するための操作部材であり、ヒンジ５により灰皿本体１に対して下降方向に揺動自在に設けられる。上記操作部材６は図示しないバネにより上昇方向に附勢され、上昇位置において端部に凹設した係止溝７内に蓋体１０の端部に突設した係止突起９が係止され、下降することにより係止が解除される（図２及び図３参照）。尚、図中符号３は、灰皿本体１の天井板２から垂設されるタバコを挿入可能な消火筒であり、この消火筒の内壁の中途の対向位置には長手方向を筒の全長方向に一致させた一対の突条４、４が突設される。
【０００８】
蓋体１０は内部が中空に構成され、電気部品が実装される基板１２が内蔵されると共に光源１４が内蔵される。一方、蓋体１０の本体側の底板１１は半透明の素材（ここではプラスチックを採用）により構成されると共に内側が断面がテーパ状（ここでは三角形状）のローレット加工面１１Ａとされる（図４参照）。尚、この実施例においては、ローレットは多数の円弧を連続させた形状に施している。光源１４は上記のローレット加工面１１Ａを照射するように底板１１端に配され、その上部には反射効果を得るためにアルミ箔等を積層した反射板１３が全面に配される。
【０００９】
前記の光源１４としてはＬＥＤを想定しており、この実施例においては電源として太陽電池１５により補完される二次電池１７を採用している。図５はその場合の電気回路を示すブロック図である。図中符号１６は制御回路であり、太陽電池１５から二次電池１７への充電を制御する他、太陽電池の発電状態を検出して昼夜を判断し、昼間には点灯しないように光源１４への通電を制御している。図中符号１８は蓋体１０の一定限度以上の開放を検出して、回路を閉成して光源１４に通電するための蓋開閉検出スイッチであり、ここでは蓋体の開放角度をクリック作用を伴った二段階に設定し、最も開放した際に上記スイッチがオンになるようにしている。尚、太陽電池１５は透明に構成された蓋体１０の天板の内側に配される（図２及び３参照）。
【００１０】
尚、以上の電気回路は一例であり、昼夜の判断に光センサを使用してもよく、又、太陽電池をしないで通常の電池のみ使用してもよいことは勿論である。
【００１１】
【発明の効果】
以上の構成よりなるこの発明の灰皿によれば、光源から照射された光はローレット加工面により拡散し、その光は蓋体の半透明の底板の表面に透過するので、蓋体の底部が全面にわたって淡く発光するような効果を得られ、灰皿容器内の効果的な照明が実現される。
【００１２】
その結果、低照度のＬＥＤであっても十分な照明効果を得ることができ、実施例のような太陽電池との組み合わせでも実用に耐える照明効果が得られ、電池交換が不要なメンテナンスフリーの照明付き灰皿となる。
【図面の簡単な説明】
【図１】この発明の車載用携帯灰皿の斜視図。
【図２】同上、蓋体を閉止した状態の断面図。
【図３】同上、蓋体を開放しつつある状態の断面図。
【図４】同上、蓋体の底板の斜視図。
【図５】同上、電気回路の一例を示すブロック図。
【符号の説明】
１        灰皿本体
１０      蓋体
１１      底板
１１Ａ    ローレット面
１４      光源
【図１】
2005013092.tif 000003
【図２】
2005013092.tif 000004
【図３】
2005013092.tif 000005
【図４】
2005013092.tif 000006
【図５】
2005013092.tif 000007
(57)【要約】      （修正有）【課題】ペットの好む香りのペット用栄養補助食品及び栄養補助剤及びペット用食品添加物を提供する。【解決手段】肉類、魚介類に澱粉、蜂蜜又は味醂、味醂風調味料及び本直しあるいはアルコール等に砂糖等で甘みを加えたものを混合あるいは添加することにより不快臭を消し、食べやすくする。また、薬成分や栄養補助成分を添加し肉類の香りを改善する。【選択図】  なし【特許請求の範囲】
【請求項１】
肉類、魚介類に澱粉、蜂蜜又は味醂、味醂風調味料及び本直しあるいはアルコール類に砂糖等で甘みを加えたものを混合あるいは添加、貼付する事により肉臭を改善したペットフード。また薬成分や栄養補助成分を添加した肉等の香りを改善した組成物。
【請求項２】
項目１の組成物によるペットフード。
【請求項３】
項目１の組成物によるペット用栄養補助食品
【請求項４】
澱粉等に蜂蜜又は味醂、味醂風調味料及び本直しあるいはアルコール類に砂糖等で甘みを加えたものをペットの食欲増進及び薬剤を服用しやすくするために食品等に加えるためのペット用食品添加物。
【発明の詳細な説明】
【０００１】
【発明の属する技術分野】
本発明はペット等の健康健康促進に関するものである。
【０００２】
【従来の技術の問題点】
現在ペットフードは及びペット用サプリメントは数多く生産されているが、ペットの好む香りではなく必要量を食べてくれなかったり、全く食べてくれず本来の目的を果たせない事が多い。
【０００３】
【発明が解決しようとする課題】
本発明が解決しようとする課題はペットの好む香りのペット用栄養補助食品及び栄養補助剤及びペット用食品添加物を提供する事にある。
【０００４】
【課題を解決するための手段】
肉類及び魚介類に蜂蜜及び味醂又は味醂風調味料及び本直しあるいはアルコール類に砂糖等で甘みを加えたものを混合あるいは添加、貼付する事により肉類等に薬剤等を加えた事による不快臭を消し、食べやすくする。尚アルコール類は添加後８０度Ｃ以上の熱を１０分以上加えて成分を飛ばす事により、風味は残るがアルコールによる酔い等は起こらない。
【０００５】
【実施例】
ささみ１Ｋｇ、澱粉３９ｇ、蜂蜜小さじ１、カルシウム４ｇ、米糠２６ｇ、ビタミンＥ５ｇ、ペット用栄養補助剤８ｇの配合で混合成形、乾燥してペット用おやつを製造した。
【０００６】
【発明の効果】
肉類等の臭みを消し、芳香を持つ事により、ペットが好んで食べるようになった。
(57)【要約】【課題】濁水の大容量の浄水処理にも容易に対応できる駆動部のない反応部において、処理する泥水の性状を目で見ながら凝集剤の投入位置を適宜に決めることのできる濁水の浄化方法を提供する。【解決手段】濁水をポンプで圧送しながら有機高分子凝集剤を添加した後、開水路３に設置した衝突体４に衝突させて、濁水と有機高分子凝集剤とを急速攪拌させ、それに続いて開水路中に無機系凝集剤を添加して攪拌体５によって攪拌しながら固液分離槽に導く。【選択図】    図３
2005013778.tif 000002
【特許請求の範囲】
【請求項１】
濁水をポンプで圧送しながら有機高分子凝集剤を添加した後、開水路に設置した衝突体に衝突させて、濁水と有機高分子凝集剤とを急速攪拌させ、それに続いて開水路中に無機系凝集剤を添加して攪拌体によって攪拌しながら固液分離槽に導く濁水の浄化方法。
【請求項２】
無機系凝集剤の添加口を開水路内の複数位置に設けて、その添加位置を適宜変更させるようにした請求項１に記載の濁水の浄化方法。
【発明の詳細な説明】
【０００１】
【発明の属する技術分野】
本発明は、シルト、粘土等の細粒分が混入した濁水を簡易な方法で浄化する濁水の浄化方法に関する。
【０００２】
【従来の技術】
従来、泥水処理システムとしては図６および図７に示すものが知られている。（例えば、特許文献１参照。）
このシステムの反応部４２は、砂、砂利分を除去した泥水を内部に導入させる反応槽７０と、反応槽７０内に設けられ、その反応槽７０内に第１の凝集剤を投入する第１凝集剤投入口７６と、第１凝集剤投入口７６と投入高さ位置が異なる位置に設置され反応槽７０内に第２の凝集剤を投入する第２凝集剤投入口７８とを備えることにより、予め投入高さを異なるようにして、処理すべき泥水の状態を見ながら、例えば複数種類の凝集剤の機能に対応して泥水の投入タイミングを設定でき、かつ調整できるようにしている。
【０００３】
すなわち、上記従来の反応槽７０では、凝集剤を投入し、攪拌羽根７２で攪拌しながらオーバフローして流れる時、無機系の凝集剤を添加して反応させる。
【０００４】
しかしながら、上記のごとく２種類の凝集剤を添加して、攪拌羽根７２などの機械で攪拌しているため、処理する流量は制限されることになり、浚渫土砂を分級する際のように大容量の濁水の浄化に対応することができないという問題がある。
【０００５】
【特許文献１】
特開２００２−３５８００号公報
【０００６】
【発明が解決しようとする課題】
本発明は、濁水の大容量の浄水処理にも容易に対応できる駆動部のない反応部において、処理する泥水の性状を目で見ながら、凝集剤の投入位置を適宜に決めることのできる濁水の浄化方法を提供する。
【０００７】
【課題を解決するための手段】
本発明は、濁水をポンプで圧送しながら有機高分子凝集剤を添加した後、開水路に設置した衝突体に衝突させて、濁水と有機高分子凝集剤とを急速攪拌させ、それに続いて開水路中に無機系凝集剤を添加して攪拌体によって攪拌しながら固液分離槽に導く濁水の浄化方法からなり、また、その場合に、無機系凝集剤の添加口を開水路内の複数位置に設けて、その添加位置を適宜変更させるようにした濁水の浄化方法からなる。
【０００８】
【発明の実施の形態】
以下図面を参照して本発明の濁水の浄化方法の実施の形態につき説明する。
【０００９】
図１はその一実施形態におけるポンプで圧送された濁水の吐出口の有機高分子凝集剤添加口部分の側面図であり、図２は図１のＡ−Ａ方向の正面図であり、図３は図２に接続する開水路の側面図である。また図４は図３のＢ−Ｂ方向の平断面図であり、図５は図３のＣ−Ｃ方向の正面図である。
【００１０】
本発明の実施の形態における濁水の浄化方法は、図６の従来例の泥水処理システム等における反応部４２に相当する部分に適用されるものであり、濁水をポンプにより図１の矢印Ｄのごとく圧送し、その吐出口２で有機高分子凝集剤６を添加口１０でその濁水に添加し、図１に続く図３の開水路３内に矢印Ｄにより圧送された濁水を遮るように設置した衝突体４に衝突させ、濁水と有機高分子凝集剤６とを急速攪拌させる。
【００１１】
続いて、図３の開水路３に図４の平断面図に示すごとく、千鳥に配置した複数の攪拌板５で、乱流状態で濁水と有機高分子凝集剤６とを流下させることにより、各攪拌板５の付近で発生する渦９によって緩速攪拌させながら、この開水路３内の複数位置に設けた無機系凝集剤７の添加口１１から無機系凝集剤７を添加した後、図３の開水路３より勾配がついた開水路８に流した後、図６の従来例同様に、清水生成装置４６等の処理工程に導いている。
【００１２】
上記に使用する無機系凝集剤７としては、ポリ塩化アルミニウム等の無機高分子系または塩化アルミニウム等の無機低分子系の凝集剤を添加するものとするが、本発明の方法では、先に有機高分子凝集剤６を添加し、続いて無機系凝集剤７を添加することで、土粒子に有機高分子凝集剤６が絡み付き、濁水に含まれている自由水を取り込んで凝集物となり、さらに無機系凝集剤７を添加することにより、団粒構造化を促すことによって、自由水の分離を促進し、疎水性に優れた  凝集物を形成できる。
【００１３】
以上のごとく、本発明の方法では、濁水をポンプ等で圧送する力だけで開水路３内に配置した衝突体４や攪拌板５で攪拌するので、従来のごとく攪拌のための機械的動力は必要としないことを特徴としているが、さらに本発明では、無機系凝集剤７の添加口１１を開水路３内の複数位置に設けており、その添加位置を適宜変化させることが可能であり、これら添加口１１を開水路３に設けているので添加位置を変化させたときの凝集分離状況の確認が容易である。
【００１４】
【発明の効果】
本発明の濁水の浄化方法を地盤掘削や浚渫等の際に生じる大量の濁水等の処理システムなどの反応部に適用すれば、濁水の攪拌に機械的動力を必要としないので、経済的であり、特に大量の濁水を処理することが可能となる。
【００１５】
また、濁水に含まれるシルトや粘土の性状によって、後から添加するポリ塩化アルミニウム等の無機高分子系または塩化アルミニウム等の無機低分子系の凝集剤の添加位置を変化させることができる。また本発明では開水路を使用しているるで、添加位置を変化させるのが容易であり、かつその効果も目視で確認できる。
【図面の簡単な説明】
【図１】本発明の浄化方法の一実施形態における有機高分子凝集剤の添加口部分の側面図である。
【図２】図１のＡ−Ａ方向の正面図である。
【図３】図２に接続する開水路の側面図である。
【図４】図３のＢ−Ｂ方向の平断面図である。
【図５】図３のＣ−Ｃ方向の正面図である。
【図６】従来例の泥水処理システムの概略構成説明図である。
【図７】図６の反応部の部分の拡大斜視説明図である。
【符号の説明】
２    吐出口
３    開水路
４    衝突体
５    攪拌板
６    有機高分子凝集剤
７    無機系凝集剤
８    開水路
１１    添加口
【図１】
2005013778.tif 000003
【図２】
2005013778.tif 000004
【図３】
2005013778.tif 000005
【図４】
2005013778.tif 000006
【図５】
2005013778.tif 000007
【図６】
2005013778.tif 000008
【図７】
2005013778.tif 000009
(57)【要約】【課題】ゴルフクラブの出し入れが、楽にできるようにしたヘッドカバーを提供する。【解決手段】ゴルフクラブを簡単に出し入れできる様に、ヘッドカバーの開、閉部分にバネを使用したことを特徴とする。【選択図】図１
2005013751.tif 000002
【特許請求の範囲】
【請求項１】
バネを使って開、閉を楽にしたゴルフヘッドカバー
【発明の詳細な説明】
【発明の詳細な説明】
【技術分野】
【０００１】この発明は、ゴルフヘッドカバーを作っている素材の内側に、バネを縫い込んだものである。
【背景技術】
【０００２】従来のヘッドカバーには、開、閉部分にマジックテープが使用されていた。
【発明が解決しようとする課題】
【０００３】マジックテープは、芝が付いたり、洋服、手袋等に付いたりしてしまい使いづらい面があった。
【課題を解決するための手段】
【０００４】その結果、ヘッドカバーにバネを使用することによって、
【０００３】のような問題がなくなる。
【発明実施の形態】
【０００５】その上、バネは広げれば元に戻るという性質がある。
【発明の効果】
【０００６】この発明によれば、ヘッドカバーを広げれば自然と元に戻るので、ゴルフクラブの出し入れがとても楽になる。その上、開、閉部分に物が付く煩わしさもなくなる。
【図面の簡単な説明】
【図１】  バネを使ったヘッドカバー
【図１】
2005013751.tif 000003
【図２】
2005013751.tif 000004
【手続補正書】
【提出日】平成16年9月10日(2004.9.10)
【手続補正１】
【補正対象書類名】明細書
【補正対象項目名】全文
【補正方法】変更
【補正の内容】
【発明の詳細な説明】
【技術分野】
【０００１】この発明は、ゴルフヘッドカバーを作っている素材の内側に、バネを縫い込んだものである。【０００２】従来のヘッドカバーには、開、閉部分にマジックテープが使用されていた。【０００３】マジックテープは、芝が付いたり、洋服、手袋等に付いたりしてしまい使いづらい面があった。【０００４】その結果、ヘッドカバーにバネを使用することによって、【０００３】のよう問題がなくなる。【０００５】その上、バネは広げれば元に戻るという性質がある。【０００６】この発明によれば、ヘッドカバーを広げれば自然と元に戻るので、ゴルフクラブの出し入れがとても楽になる。その上、開、閉部分に物が付く煩わしさもなくなる。
【図面の簡単な説明】
【０００７】
【図１】ゴルフヘッドカバーを作っている素材の内側にバネを取りつけて、そのバネが閉まっている状態。
【図２】そのバネが、開いている状態。
(57)【要約】【課題】本発明は従来の安定保持器具では確実性が無く安定した作業が非常に困難であるための門題点を解決する事を目的としてなされたものであり、ミキシングボール、球面形状調理器具使用時の不安定な状態を防止し、作業の安定性、作業効率の向上や使用者の安全、負担を軽減する事ができる安定保持用器具を提供しようとするものである。【解決手段】本発明は、ミキシングボール、球面形状調理器具を使用した作業の効率を高め安定した作業を確保するため弾性防滑性樹脂を平面視真円形状、楕円形状、多角形状に一体成型し、又は本体を樹脂成型したものに弾性防滑性樹脂を全体或は部分的に貼付し、ボールとの接触面をミキシングボール、球面形状調理器具の形状に倣い直線又は円弧状に加工し、調理器具との接触面積の増加を図り面接触により調理器具のがたつき、回転、滑りを押えること可能とした安定保持器具である。断面形状は上辺と下辺が同一のものの他、上辺に比べ下辺を大きくしたものが有り保持器具と調理台との接触面積増大による摩擦抵抗増加による一層の安定性確保を図る。【選択図】  図２
2005013755.tif 000002
【特許請求の範囲】
【請求項１】
弾性を有する防滑性樹脂を平面視円形状、多角形状に成型し又は、貼付し底部が球面形状のミキシングボール、球面形状調理器具を安定保持するため調理器具との接触面を円弧形状、傾斜形状にし面接触による摩擦力の増加により調理器具の回転、滑りの防止を特徴とする安定支持具。
【請求項２】
ミキシングボール、球面形状調理器具を傾斜状態で使用し又、各種寸法の器具に対応させるため台座の高さを確保し、高台付調理器具にも対応することを特徴とする安定支持具。
【発明の詳細な説明】
【技術分野】
【０００１】本発明は、ミキシングボール、球面形状調理器具の安定保持器具に関するものである。
【背景技術】
【０００２】従来、ミキシングボール、球面形状調理器具を使用した食品の加工は器具側面が球面状であり且つ底部が小さな平面に成型された不安定な形状のため一人で作業、使用するにあたっては片手で器具を保持しなければならず両手を使用した安定作業を継続して続けることが困難な状況である。
【発明の開示】
【発明が解決しようとする課題】
【０００３】本発明は従来の安定保持器具では確実性が無く安定した作業が非常に困難であるための門題点を解決する事を目的としてなされたものであり、ミキシングボール、球面形状調理器具使用時の不安定な状態を防止し、作業の安定性、作業効率の向上や使用者の安全、負担を軽減する事ができる安定保持用器具を提供しようとするものである。
【課題を解決する為の手段】
【０００４】本発明は、ミキシングボール、球面形状調理器具を使用した作業の効率を高め安定した作業を確保するため弾性防滑性樹脂を平面視真円形状、楕円形状、多角形状に一体成型し、又は本体を樹脂成型したものに弾性防滑性樹脂を全面或は部分的に貼付し、ボールとの接触面をミキシングボール、球面形状調理器具の形状に倣い直線又は円弧状に加工し、調理器具との接触面積の増加を図り面接触による摩擦抵抗により調理器具のがたつき、回転、滑りを押えることを可能とした安定保持器具である。尚、傾斜部分の長さはミキシングボール、球面形状調理器具寸法により調整する。
【０００５】断面形状は上辺と下辺が同一のものの他、上辺に比べ下辺を大きくしたものが有り保持器具と調理台との接触面積増大による摩擦抵抗増加による一層の保持器具の安定性確保と移動防止を図る。
【発明を実施するための最良の形態】
【０００６】本発明の実施の形態を添付図面に基づいて詳細に説明する。図１において、弾性防滑樹脂製により平面視真円状に成形されており、傾斜部分１は円弧形状に成型、又は傾斜直線とし調理器具との接触面積の増大を図り器具の回転、滑りを防止する構造とする。図４においては平面を多角形状に成型し傾斜部分１は円弧形状に成型、又は傾斜直線とした。又、円弧形状部分、傾斜直線部分の表面及び底部は、調理器具との接着強度の調整、水はけを考慮し、単純平面の外、凹凸付、溝付加工を施す。
【発明の効果】
【０００７】本発明の安定保持器具を使用し、ミキシングボール、球面状調理器具を使用し食材を加工する場合において、挿入穴２に挿入されたそれらの調理器具が面接触によって摩擦力が増大し、安定保持した状態での作業が出来る。又、台座部分の高さが確保されている為、傾斜状態においての使用が可能で少量の食材加工が容易になり作業の安全・安定性、作業効率の向上や使用者への負担を軽減する事ができる。
【図面の簡単な説明】
【０００８】
【図１】本発明に係る安定保持器具の平面図及び断面図である。
【図２】本発明に係る安定保持器具の上辺より下辺を大きくした平面図及び断面図である。
【図３】本発明に係る調理器具傾斜使用時用安定保持器具平面図及び断面図のである。
【図４】本発明に係る安定保持器具の多角形形状成型の平面図及び断面図である。
【図５】本発明に係る安定保持器具の台座部分に弾性防滑性樹脂を部分的に貼付した場合の断面図である。
【符号の説明】
【０００９】１  傾斜部分
２  ミキシングボール、球面状調理器具挿入穴
３  ミキシングボール、球面状調理器具
４  貼付する弾性防滑性樹脂
５  樹脂成型本体
【図１】
2005013755.tif 000003
【図２】
2005013755.tif 000004
【図３】
2005013755.tif 000005
【図４】
2005013755.tif 000006
【図５】
2005013755.tif 000007
(57)【要約】      （修正有）【課題】従来は体重計と洋式トイレ便座は別々だった。したがって、体重計を別に用意し測定しなければならなかった。それを１つにして便利な体重計内蔵の洋式トイレを提供する。【解決手段】洋式トイレ便座裏側に重量測定センサーを取り付け、便座上部前面にデータ表示画面を内蔵したことを特徴とする。【選択図】図２
2005013706.tif 000002
【特許請求の範囲】
【請求項１】
便座にデジタル体重計を内蔵させた洋式トイレ。
【発明の詳細な説明】
【技術分野】
【０００１】  この発明は、洋式トイレの便座にデジタル体重測定機能を内蔵させた便座に関するものである。
【背景技術】
【０００２】  従来、洋式トイレの便座と消しゴムは別々になっていた。
【発明の開示】
【発明が解決しようとする課題】
【０００３】  これは次のような問題点があった。ダイエットを成功させるにはいろいろな方法があるが、わたしの経験からは絶えず体重計にのって、体重増に敏感になり、そのことにより過食を控えようという気持ちを継続して持ち続けることが大事だと考える。
そのためには出来るだけ身近なところに体重計があることが大事だと考えた。毎日１度は利用するトイレに体重測定機能が内蔵されていたら体重を意識することができ、ダイエットの実現が可能になる。
また、直立が困難な身体障害者にとって気軽に測定できる便座式体重計付きの洋式トイレは健康への意識を高める上でも効果があると考えた。
【課題を解決するための手段】
【０００４】  洋式トイレの便座にデジタル体重測定機能を内蔵させ、便座に座ると体重が測定されデジタル表示される。
以上の構成によりなる体重計内蔵の洋式トイレである。
【発明の効果】
【０００５】  便座に座るだけで体重が測定されデジタル表示されるので、ダイエット志願者や健康管理を心がける人にとってにとっては、毎日継続して体重を量ることができ、ダイエットへの意識を保つことができるとともに、健康への意識が高められる。
また、直立が困難な身体障害者にとっても毎日欠かさず体重測定ができ、健康への意識を高める上で効果があると考えた。
【発明を実施するための最良の形態】
【０００６】  以下、本発明の実施例について説明する。
洋式トイレの便座の内部に、デジタル体重計システムを内蔵する。
便座の（１）〜（４）部に重量反応センサーを取り付ける。
便座の（５）部にデータ表示画面を設ける。
便座の（６）部に測定スイッチを設ける。
【図面の簡単な説明】
【０００７】
【図１】本発明の上部図である。
【図２】本発明の下部図である。
【符号の説明】
【０００８】      １〜４  重量反応センサー
５  データ表示画面
６  測定スイッチ
【図１】
2005013706.tif 000003
【図２】
2005013706.tif 000004
(57)【要約】【課題】本発明は人間の足を置き乗せする台に関し、特にその台の説明方法に関する。【解決手段】発明は、足に対し、人々の幸せをあたえるを目的とし、多類なる形、材質によって作られた、足台を特徴とする。【特許請求の範囲】
【請求項１】
本発明は足を置くための台であり、足を乗せるための物とする。
【請求項２】
このたび考えられた発明は、１つの形にさだまらず、様々な形をしている。足がある物、三角形の物、そのまま台だけの物等、足が置ける項目が目的である。
【請求項３】
発明品の材質については、下記の
・木材      ・鉄類          ・アルミ    ・スチール
・チタン    ・プラスチック    ・布類    ・石材
・陶芸      ・動物類          ・植物類          等
地球上に存在する、材質とする。
【請求項４】
この発明に対し、基本的に人間の足が置ける台とするが、マニア物やインテリアとして、縮小された台、ギネス狙いの最大の台も、別の物とせず、アスとして取り入れられる。その中にはブランドも含まれる。そして、足の台ならば、折り立て式、持ち運び式等も含まれる。ただし踏み台、マッサージ機とは違う物とする。
【発明の詳細な説明】
【０００１】
【発明の属する技術分野】本発明は、基本的に人間の足が乗る物であり、そのアスに関し、特に台の説明方法である。
【０００２】
【従来の技術】本来、元々ありそうでない物。そのためイスに座った時にこの発明品を使用し、よりリラックスした時間と空間を作る。またテレビを見ている時、地に座っていて、足だけを本発明品に乗せると、現在より、楽しい生活効果が新しく産まれる。インテリアやデザインとしても楽しめる。
【０００３】
【発明が解決しようとする課題】今までにはなかった発明であり、今までには、気づかず何かを代用していて、その正しい作り方がなされていなかった欠点があった。
【０００４】
【課題を解決するための手段】新しく本発明が産まれたため、正しい効果が得られるのが特徴とする。楽しみが増える精心的ゆとりが利点とする。
【０００５】
【実施例】以下、本発明を実体験によって説明する。とう発明によって、今にないゆうえつ感があり、一度使うと、  手放せない発明品で日々の日常生活に定着している。
【０００６】
【発明の効果】この度の発明品により、日常において、以上の文章以外にも健康等、多類な効果を発揮してくれる。
(57)【要約】【構成】この発明は、従来の焼酎に焙煎した大麦を漬け込むことで、誰にでも簡単に癌や動脈硬化の予防に良いとされる有効成分″ポリフェノール″を従来の焼酎の約６０倍も抽出し、健康的焼酎を製造できる。そして、同時に従来の焼酎では弱かった、素材本来の香気と風味（コク）を出すことを実現させた。【効果】上記の通り、有効成分″ポリフェノール″を増強させ、健康酒として薬理効果が期待できる。また、愛飲者の嗜好に応じて、従来の焼酎に大麦の香気と風味（コク）を付与することによって、濃い味を好む関東以北での販売強化につながることが期待される。【特許請求の範囲】
【請求項１】
脱穀した大麦を精麦前の皮の付いた状態のまま、濃い茶色になるまで煎り（焙煎）、その焙煎した大麦を従来の焼酎に漬け込むことで、ポリフェノールを従来の焼酎の約６０倍に増やし、更に、素材本来の風味を出した焼酎の製造方法。
【請求項２】
大麦の香りを付与された焼酎
【発明の詳細な説明】
【０００１】
【産業上の発明分野】
本発明は焙煎した大麦を従来の焼酎に漬け込むという簡便な方法で、癌や動脈硬化の予防に良いとされる有効成分″ポリフェノール″を従来の焼酎の約６０倍に増強させることができる焼酎の製造方法であり、更に大麦の香りと風味を付与された焼酎に関すること。
【０００２】
【従来技術及びその欠点】
従来の焼酎は、一次原料である麦・米・芋等の穀物から麹を製造し、更に水と酵母を加え発酵させてもろみを作る。
次に二次原料の米・麦・そば・黒糖等を加えて二次もろみを作り発酵させ、最後にアルコール分を蒸留することにより焼酎を得ている。
この方法で焼酎を製造する場合、アルコール分の取得量を増大される為の努力はされているが、素材本来の香りや風味（コク）、更に有効成分の改善をすることは殆ど行われていない。ゆえに、焼酎における香りが弱く素材特性が出し切れていなかった。
この点が、濃い味を好む、特に関東以北での販売不振につながっていた。
【０００３】
【発明が解決しようとする課題】
従来の焼酎に焙煎した大麦を漬け込むという非常に簡便な方法で、誰でも有効成分″ポリフェノール″を従来の焼酎の約６０倍に増やした健康焼酎を製造でき、更に風味（コク）を出すことにも成功させた。
そして、味の好みに応じて大麦本来の香気を付与させることができるという素材特性を十分に生かすことが可能になった。それは関東以北の濃い味を好む人への要望に応える為に発明された。
【０００４】
【課題を解決する為の手段】
（イ）脱穀した大麦を精麦前の皮付きの状態で、大鍋またはオーブンで２５０度程度の温度で、大麦が濃い茶色に変化するまで煎る。（焙煎）
（ロ）密閉できる蓋付き容器を用意し、例えば焙煎した大麦１００グラムに対して、従来の焼酎１リットルを常温で、約２４時間漬け込む。
愛好者の嗜好に応じて焙煎した大麦の量と漬け込む時間を調節して、味の濃度を調整することが可能である。濃度に比例して有効成分″ポリフェノール″も抽出される。
【０００５】
【発明の実施の形態】
本発明に従って、従来の焼酎に焙煎した大麦を漬け込むことにより、大麦の有効成分″ポリフェノール″が従来の焼酎の約６０倍も多く得られ、癌や動脈硬化の予防に良いとされる有効成分による、身体に好ましい焼酎となると同時に、有効成分によりコクのある濃い味が実現される。
しかも、大麦の素材本来の香気と風味が焼酎に付与することができる。
【０００６】
【発明の効果】
上記した通り、焙煎した大麦を使用して、誰にでも簡単にできる方法で大麦の有効成分″ポリフェノール″を従来の焼酎の約６０倍も抽出することができ、健康的効果を有するものと考えられる。
更に、コクのある風味と大麦素材本来の香気を同時に得ることができ、濃い味を好む関東以北での販売強化につながるといえる。
【図面の簡単な説明】
【図１】本発明に使用する大麦の焙煎方法の図
【図２】本発明に使用する図１を漬け込む方法の図
【符号の説明】
１は、脱穀したままの精麦前の皮付きの大麦
２は、大鍋またはフライパン
（焦げないように２を図１の矢印のように回転させながら煎る）
３は、２５０度程度の温度の火力のガスコンロ
４は、オーブンに入れる製菓用鉄板
５は、オーブン
６は、密閉できるふた付き容器
７は、焼酎
８は、焙煎したあとの大麦
【図１】
2005013192.tif 000002
【図２】
2005013192.tif 000003
(57)【要約】【課題】このように薬を動物に振りかけて害虫を駆除する場合、動物自体に影響がないとは言えず、又、動物に薬を振りかける場合、人体に影響がないとはいえないという問題があった。【解決手段】把持部１の内部に電源２及び発振器３が装着され、又、把持部１の内部に発振器３から発振出力が供給されるボルト締めランジュバン型振動子４が装着され、このボルト締めランジュバン型振動子４は金属ブロック４ａ、４ｂによって挟持される圧電体振動子５がボルト（図示せず）によって固定され、さらに、金属ブロック４ａに支持部材６ａが固着され、この支持部材６ａの側部に植設されたくし部材６ａからなるくし部６が設けられている。【選択図】        図１
2005013108.tif 000002
【特許請求の範囲】
【請求項１】
把持部の内部に装着された電源及び発振回路と、前記把持部の端部に装着された２つの金属ブロックで挟持された圧電体振動子を設けたボルト締めランジュバン型振動子と、該ボルト締めランジュバン型振動子の前記一方の金属ブロックに接続される支持部材と、該支持部材に植設されたくし部材とからなり、前記ボルト締めランジュバン型振動子で発生した超音波振動を支持部材を介してくし部材に伝達することにより、超音波振動で動物のノミ、ダニ等の害虫を死滅させることを特徴とするペット用超音波くし。
【発明の詳細な説明】
【０００１】
【発明が属する技術分野】
本発明は、超音波振動により、ノミ及びダニ等の害虫を駆除するようにしたペット用超音波くしに関するものである。
【０００２】
【従来の技術】
従来、一般に動物の毛の中にいるノミやダニ等の害虫を駆除するためには、害虫を殺す薬ず使用されている。
【０００３】
【発明が解決しようとする課題】
しかしながら、このように薬を動物に振りかけて害虫を駆除する場合、動物自体に影響がないとは言えず、又、動物に薬を振りかける場合、人体に影響がないとはいえないという問題があった。
【０００４】
【課題を解決しようとする手段】
本発明は、把持部の内部に装着された電源及び発振回路と、前記把持部の端部に装着された２つの金属ブロックで挟持された圧電体振動子を設けたボルト締めランジュバン型振動子と、該ボルト締めランジュバン型振動子の前記一方の金属ブロックに接続される支持部材と、該支持部材に植設されたくし部材とからなり、前記ボルト締めランジュバン型振動子で発生した超音波振動を支持部材を介してくし部材に伝達することにより、超音波振動で動物のノミ、ダニ等の害虫を死滅させるものである。
【０００５】
【発明の実施の形態】
本発明は、ボルト締めランジュバン型振動子によって超音波振動を発生させながら把持部を持って動物の毛をすくことにより、毛の中にいるノミやダニ等の害虫にくし部材が接触すると、超音波振動で毛の中にいるノミやダニ等の害虫が死滅され、又、動物の毛に薬液を振りかけて、くし部材ですくことにより、毛の中の薬液が霧化されて、毛の中で広範囲に薬液をゆき渡らせることができ、少量の薬液で害虫を駆除できるので、動物や人体にあまり影響を与えない。
【０００６】
【実施例】
図１は本発明の実施例のペット用超音波くしの構成図で、把持部１の内部に電源２及び発振器３が装着され、又、把持部１の内部に発振器３から発振出力が供給されるボルト締めランジュバン型振動子４が装着され、このボルト締めランジュバン型振動子４は金属ブロック４ａ、４ｂによって挟持される圧電体振動子５がボルト（図示せず）によって固定され、さらに、金属ブロック４ａに支持部材６ａが固着され、この支持部材６ａの側部に植設されたくし部材６ａからなるくし部６が設けられている。
【０００７】
このように構成した本実施例のペット用超音波くしでは、ボルト締めランジュバン型振動子４に発振器３から発振出力を供給しながら把持部１を持って動物の毛をすくと、毛の中にいるノミやダニ等の害虫に超音波振動しているくし部６のくし部材６ｂが接触すると、ノミやダニ等の害虫は超音波振動で排除及び殺すことができ、薬を一切使用しないので、動物に住み着いているノミやダニ等の害虫を除去することができる。
【０００８】
なお、動物に少量の薬液を振りかけて、このペット用超音波くしの把持部１を持ってくし部６で毛をすくと、毛に付着している薬液が超音波振動により霧化して毛の中で広がるので、毛の中に広がった薬液でノミやダニ等の害虫を駆除することができ、薬液が少量なので、動物に害を与えることが少なく、人体や薬液を使用した後の環境に害がないという利点がある。
【０００９】
【発明の効果】
以上説明したように、本発明のペット用超音波くしでは、ボルト締めランジュバン型振動子によって超音波振動を発生させながら把持部を持って動物の毛をすくことにより、毛の中にいるノミやダニ等の害虫にくし部材が接触すると、超音波振動で毛の中にいるノミやダニ等の害虫が死滅され、又、動物の毛に薬液を振りかけて、くし部材ですくことにより、毛の中の薬液が霧化されて、毛の中で広範囲に薬液をゆき渡らせることができ、少量の薬液で害虫を駆除できるので、動物や人体にあまり影響を与えないという利点がある。
【図面の簡単な説明】
【図１】図１は本発明の実施例のペット用超音波くしの構成図である。
【符号の説明】
１          把持部
２          電源
３          発振器
４          ボルト締めランジュバン型振動子
５          圧電体振動子
６          くし部
【図１】
2005013108.tif 000003
(57)【要約】【課題】従来は水田の株間除草に関して有効な除草方法が無く、手作業で草を取り、重労働であった。また、機械除草でも縦軸の回転羽根では草や根等の異物が絡んで能率が上がらず、更に幼い稲を傷つけるなど、効果的な除草方法ではなかった。【解決手段】円錐堆状外面に傘状に複数枚の羽根を固着した回転羽根により、縦軸でも潤滑な回転を得、草や根等の異物が絡まない構造にした。【選択図】        なし【特許請求の範囲】
【請求項１】
左右一対の中心に傾斜した、上部が円錐堆状の外面に有する複数の羽根が傘状を成し、羽根と羽根との間の土を縦軸による回転で連続的に移動させることで株間の除草をする回転羽根
【請求項２】
複数の傘状の羽根が全て下方に直線状に開き、土と接しても突起や凹みが無いことで草や根等の異物が引っ掛からないことを特徴とする請求項１記載の水田用株間除草回転羽根。
【発明の詳細な説明】
【０００１】
【発明が属する技術分野】
本発明は田面株間を羽根を有する左右一対の傘条構造体が土と接しながら進行する過程で回転が生じ、有する羽根で連続的に株間の除草をする水田用株間除草回転羽根に関するものである。
【０００２】
【従来の技術】
中央に傾斜した一対の軸に複数の棒状、又は帯状の、先端が上向きを成したる羽根が土と接しながら進行することで回転し、構造体羽根の遠心力で除草していた。
【０００３】
【発明が解決しようとする課題】
回転羽根のそれぞれの羽根の先端が全て上向きを成している事で土中を回転しながらの進行過程に異物が絡み、堆積していき幼い稲を倒したり、堆積した異物を作業途中に取り除かなければならない等、除草本来の機能を発揮できないという問題点がある。
【０００４】
【課題を解決するための手段】
円錐堆状外面に複数の羽根を傘状に取付け、更に直線状に一体化することで全ての羽根が下向きになり、異物の絡みが解消できる回転羽根を提供することにより上記課題を解決したものである。
【０００５】
【実施例】
本発明の水田用株間除草回転羽根は図１に示されるように円錐堆状外面１に軸２を介し、円錐堆状外面１に傘状に複数の羽根３を複数枚、固着したものである。
【０００６】
次に動作について説明する。図２に示されるように水田用株間除草回転羽根は、中心に傾斜した左右一対で構成し、稲の条を挟み、傘状に複数の羽根を有する構造体の下端中心部が土と接触することで回転しながら進行する。
【０００７】
水田用株間除草回転羽根は図３に示されるように傘状に複数の羽根を有する構造体の羽根ａと羽根ｂから成るスペースの土を左右一対の相反する回転で、左右対称に、外から中へ、中から外へ移動させ、移動した土に生えている草を取り除くことになる。
【０００８】
【発明の効果】
以上のように請求項１記載の説明によれば、円錐堆状外面に傘状に羽根を複数枚配した形状により株間の除草を行うことができ、また、請求項２記載の説明によれば円錐堆状外面に傘状に有する羽根が全て下方に直線状に開いているため、草や根等の異物の絡みが無く、除草の確実性を更に高めることができる。
【図面の簡単な説明】
【図１】水田用株間除草回転羽根の構成を示す外観図である。
【図２】水田用株間除草回転羽根の作業動作を示す横から見た工程図である。
【図３】水田用株間除草回転羽根の作業動作を示す上から見た工程図である。
【図４】水田用株間除草回転羽根の断面図である。
【符号の説明】
１・・・円錐堆状外面
２・・・軸
３・・・羽根
ａ・・・羽根個体
ｂ・・・ａ以外の羽根個体
【図１】
2005013170.tif 000002
【図２】
2005013170.tif 000003
【図３】
2005013170.tif 000004
【図４】
2005013170.tif 000005
(57)【要約】【課題】従来の小鳥等の餌箱は、上部のみ開口になっており餌の補給は、餌殻を取り除いてからでないと補給できない。又先に入れた餌は、新しいものとかき混ぜない限り、底に溜まったままである。【解決手段】底部を傾斜にして開口部を設け、尚且つ餌受けを設ければ、先に入れたものより順次、餌を与えられる。【選択図】図１
2005013184.tif 000002
【特許請求の範囲】
【請求項１】
上部開口部より、餌を供給し下部開口部に餌受けを設け、先入先出し及び餌殻を分別しやすくした餌箱。
【発明の詳細な説明】
【０００１】
【発明の属する技術分野】
本発明は、小鳥等のペットの餌箱に係わるものである。
【０００２】
【従来の技術】
従来の小鳥等の餌箱は、上部のみが開放である。
【０００３】
【発明が解決しようとする課題】
餌を補給する場合、餌殻を取り除いてからでないと次の餌を入れられないものである。
【０００４】
【課題を解決するための手段】
餌箱下部に、開口部を設ける。
【０００５】
【発明の実施の形態】
餌箱下部に、開口部を設け尚且つ餌受けを設置する。
【０００６】
【実施例】
底部は、傾斜をつけて餌がスムーズに流れるように加工する。餌受けに溜まった餌殻を除去すると、新たに餌が供給される。
【０００７】
【発明の効果】
餌殻の分別がし易く、作業が簡単である。
【図面の簡単な説明】
【図１】本発明の全体図である。
【図２】底部傾斜を示す断面図である。
【符号の説明】
１、取り付け穴      ２、餌受け      ３、下部開口部      ４、上部開口部
５、傾斜部
【図１】
2005013184.tif 000003
【図２】
2005013184.tif 000004
(57)【要約】      （修正有）【課題】従来食後などにデザートとしての醗酵乳を楽しむ事と、「眠気覚まし」を目的としてコーヒーを飲む事の２つの目的を果たそうとした場合、それぞれを約２００ミリリットルずつ飲んでおり、お腹が苦しくなる思いをしていた。その欠点を取り除きながら、従来の２つの目的を同時に果たす。【解決手段】醗酵乳液１７５ミリリットルと、コーヒー液２５ミリリットルの割合で混ぜ合わせて作ったコーヒー入り醗酵乳を作る。このときコーヒー液２５ミリリットル内には、通常コーヒーカップでコーヒーを１杯飲むときと同じ程度のコーヒー成分をあらかじめ溶かし込んでおくものである。【効果】どちらか一方分の量で、デザートとしての醗酵乳を楽しむ事と、「眠気覚まし」を目的としてコーヒーを飲む事の２つの目的が同時に果たせる。よって従来の半分の量を飲む事で２つの目的が果たされる為、お腹が苦しくならず課題が解決される。【選択図】なし【特許請求の範囲】
【請求項１】
一定量の醗酵乳（ヨーグルト）液に対し、一定量のコーヒー液を混ぜ合わせて作ったコーヒー入り醗酵乳（ヨーグルト）
【請求項２】
醗酵乳液１７５ミリリットルに対し、コーヒー液２５ミリリットルの割合で双方を混ぜ合わせて作った請求項１のコーヒー入り醗酵乳。
【発明の詳細な説明】
この発明はコーヒー入り醗酵乳（ヨーグルト）に関するものである。
従来、コーヒーと醗酵乳液（液状のヨーグルト）はそれぞれ全く独立したものとして別々に飲まれている。その目的は、醗酵乳の方はデザートとして飲まれることが多く、コーヒーの方は味そのものを楽しむ目的のほか、いわゆる「眠気覚まし」を目的として飲まれる場合も多い。
そのため、従来昼食後などにデザートととして醗酵乳を楽しんだほかに、「眠気覚まし」を目的としてコーヒーを飲もうと考えた場合、それぞれを約２００ミリリットルほど飲む事になり（合計で約４００ミリリットルほどを飲む事になり）、お腹が苦しくなる思いをしていた。
本発明は、このような欠点を取り除きながら両方を飲んだ効果を得る事を目的になされたもので、醗酵乳液１７５ミリリットルに対し、コーヒー液２５ミリリットルの割合で双方を混ぜ合わせてコーヒー入り醗酵乳を作ったものである。このときコーヒー液の２５ミリリットル内には、普通コーヒーカップでコーヒーを１杯飲む時と同じ程度のコーヒー成分をあらかじめ溶かし込んでおくものである。（例えばインスタントコーヒーの場合、小さじ１．５杯分程度のコーヒー粉を溶かし込んでおくものである。）
本品を飲めば、従来のどちらか一方分の量（２００ミリリットル程度）で、デザートとしての醗酵乳を楽しむ事が出来るほかに、コーヒーカップでコーヒーを１杯飲んだのと同じ程度のコーヒー成分を体内に取り込む事が出来るため、いわゆる「眠気覚まし」用のコーヒーを１杯飲んだのと同じ効果を得ることが出来るものである。
つまり、従来それぞれを別々に飲んでいた場合の約半分の量を飲めば、二つの目的が同時に達せられる事になる為、お腹も苦しくならず問題を解決したものである。
本品は、従来からの醗酵乳のおいしさはそのままに保ちながら、そこにほのかなコーヒーのほろにがさが加わり、これがとてもよくマッチングしているもので、「上品でちよっと大人の味」といった感じのする新しい味の飲み物が完成したものである。
それから又、本品を飲む事は従来の半分の時間で醗酵乳とコーヒーの両方を飲んだ効果を同時に得る事が出来る為、食事時間を短縮する効果もあり、朝の時間やお昼時間にも忙しいサラリーマンやＯＬ等の需要を助ける飲み物にもなるものである。
本品は、好みによりコーヒー液内に溶かし込むコーヒー成分の量を増減調整し、より濃いコーヒー又は逆にうすいコーヒーを調整して作ることが可能なものである。
そして又、本品は醗酵乳液とコーヒー液の割合を請求項２のまま保ち、それぞれを同数倍にして混ぜ合わせれば、１度に大量のコーヒー入り醗酵乳を作る事も可能であり、それを小分けにして飲むことも出来るものである。
それから又、本品をゼリー状に固めれば、スプーン等を使って食べるデザートとして用いることも出来るものである。